(57)【要約】【課題】アルミ軽合金製ケースとされたガスメータが、火災による高熱にさらされ、自重により溶融落下するようなことがあっても確実にガス漏れによる火災の拡散や有毒ガスの発生を防止することを課題とする。【解決手段】耐熱金属製とされたガス供給管２のガスメータ１に対する接続部において、ガス供給管２側にガス流通路を横断する環状の弁座７を設け、弁座７に隙間無く接触可能な弁体１０を、弁座７に対して圧接可能に配置し、弁座７と弁体１０との間に、圧接力に抗する強度を有した非耐熱性素材よりなる支持部材１１を、ガス流通の障害とならないように介挿したことを特徴とする。【選択図】図１
2004138456.tif 000002
【特許請求の範囲】
【請求項１】
耐熱金属製とされたガス供給管をガスメータに接続する継手であって、前記ガス供給管側に接続される弁箱の他側端にガス流通路を横断する環状の弁座を設け、該弁座に隙間無く接触可能な弁体を、前記弁座に対して圧接可能に配置し、前記弁座と弁体との間に、前記圧接力に抗する強度の非耐熱性素材よりなる支持部材を、ガス流通の障害とならないように介挿配置してなることを特徴とするガスメータ用継手。
【請求項２】
耐熱金属製とされたガス供給管のガスメータに対する接続部において、前記ガス供給管側にガス流通路を横断する環状の弁座を設け、該弁座に隙間無く接触可能な弁体を、前記弁座に対して圧接可能に配置し、前記弁座と弁体との間に、前記圧接力に抗する強度を有した非耐熱性素材よりなる支持部材を、ガス流通の障害とならないように介挿配置したことを特徴とするガスメータ。
【請求項３】
請求項２におけるガスメータに対するガス供給管が垂直配置とされ、該ガス供給管のガス流通路を横断する環状の弁座が前記ガス流通路に対して直交した水平配置とされ、前記弁座と弁体との間に介挿される非耐熱性素材よりなる支持部材が合成樹脂製の支持成形体とされ、前記弁体が前記弁座よりガス流通の障害とならない程度の高さ位置に支持されていることを特徴とするガスメータ。
【発明の詳細な説明】
【０００１】
【発明の属する技術分野】
本発明はガスメータに関し、火災に対して安全対策を施したガスメータに関する。
【０００２】
【従来の技術】
建物内へのガス管引き込み部には、ガスの使用量を測定するためのガスメータが一般に設けられる。
【０００３】
このガスメータ１は、図４に示すように外部からガスメータへとガスを供給する金属管２と、ガスメータ１からガスを導出し建物内へと送る金属管３とを支持部材として、これら金属管２、３にガスメータ１を支持する構造とする場合が多い（特許文献１参照）。
【０００４】
【特許文献１】
特開２０００−３４６６９１号公報　図２
【０００５】
【発明が解決しようとする課題】
ところで、このガスメータ１は、近年、軽量化などを目的としてケースをアルミ合金製や亜鉛合金製とすることが多い。このため、ガスメータ１のケースは、火災などの高温にさらされると溶融変形し、金属管２、３の取付け部分が加熱溶融すると自重で落下してしまい、金属管２、３が開放されてガスが噴出し、このガスに引火して火災を助長してしまうことがある問題があった。
【０００６】
特に、ガスメータ１が集合ビルなどの換気性の悪い場所などに設置してあり、なおかつそのような場所に火災が発生した場合は、不完全燃焼による一酸化炭素ガスと煤塵とが大量発生し悲惨な人身事故を引き起こす場合がある。
【０００７】
この発明は、上記問題を解消し、アルミ合金や亜鉛合金製ケースとされたガスメータが、火災による高熱にさらされ、自重により溶融落下するようなことがあっても確実にガス漏れによる火災の拡散や有毒ガスの発生を防止することを課題としてなされたものである。
【０００８】
【課題を解決するための手段】
この目的を達成するため請求項１の発明は、耐熱金属製とされたガス供給管をガスメータに接続する継手であって、前記ガス供給管側に接続される弁箱の他側端にガス流通路を横断して環状の弁座を設け、該弁座に隙間無く接触可能な弁体を、前記弁座に対して圧接可能に配置し、前記弁座と弁体との間に、前記圧接力に抗する強度の非耐熱性素材よりなる支持部材を、ガス流通の障害とならないように介挿配置してなることを特徴とするものである。
【０００９】
この継手によりガスメータを金属管と接続すれば、火災によりガスメータが溶融軟化し、自重によりガス供給管から抜け落ちても、非耐熱性素材よりなる支持部材が熱により燃焼、溶融あるいは焼落ち、その時点で弁体が弁座に隙間無く接し管路を遮断するのでガス漏れは確実に防げる。
請求項２の発明は、耐熱金属製とされたガス供給管のガスメータに対する接続部において、前記ガス供給管側にガス流通路を横断する環状の弁座を設け、該弁座に隙間無く接触可能な弁体を、前記弁座に対して圧接可能に配置し、前記弁座と弁体との間に、前記圧接力に抗する強度を有した非耐熱性素材よりなる支持部材を、ガス流通の障害とならないように介挿したことを特徴とするものである。
【００１０】
したがって、火災によりガスメータが溶融軟化し、自重によりガス供給管から抜け落ちても、継手部の非耐熱性素材よりなる支持部材が熱により燃焼、溶融あるいは焼落ち、その時点で弁体が弁座に隙間無く接してしまうのでガス漏れは確実に防げる。
【００１１】
請求項２の発明は、請求項１におけるガスメータに対するガス供給管が垂直配置とされ、該ガス供給管のガス流通路を横断する環状の弁座が前記ガス流通路に対して直交した水平配置とされ、前記弁座と弁体との間に介挿される非耐熱性素材よりなる支持部材が合成樹脂製の支持成形体とされ、前記弁体が前記弁座よりガス流通の阻害とならない程度の高さ位置に支持されていることを特徴とするものである。
【００１２】
この場合は、支持体が火災の熱により溶融、燃焼したとき、弁体は自重により弁座に落下して流路を遮断するので、弁体に対しバネなどの付勢部材を設ける必要がなく、構造が簡単となる。
【００１３】
【発明の実施の形態】
（実施の形態１）
図１は、本発明の実施の形態１のガスメータの接続継手の断面図である。
【００１４】
図１において、ガスメータ１はアルミ合金、あるいは亜鉛合金製とされ、軽量化されている。
このガスメータ用継手は金属管２に、接続ねじ部４を介して径方向膨出部５を有する弁箱６を備え、この弁箱６の他端には弁座７を有する接続ピース８がねじ嵌合され、この接続ピース８に、ガスメータ１の接続開口部１ａがカップリング９により取り付けられるように構成されている。なお、弁箱６、弁座７、接続ピース８はいずれも耐熱性の金属製とされている。
【００１５】
そして、弁箱６内には、弁座７に対して隙間無く接する耐熱性を有する金属製の弁体１０が、ガス流通の阻害とならない程度の高さ位置に非耐熱性素材よりなる支持部材１１で支持されて構成されている。
【００１６】
この支持部材１１を形成する非耐熱性素材は、熱により容易に軟化、ないしは燃焼してしまうようなものをいい、例えば熱可塑性プラスチック、燃焼点の低い熱可塑性プラスチックなどが好適に用いられる。
【００１７】
また、支持部材１１の形状は、図２に示したように接続ピース８内面に沿って固定される筒部１１ａとこの筒部１１ａの直径方向に一体的に架設された梁部１１ｂと、この梁部１１ｂ上面の中心部から立設されたステー１１ｃとから構成されている。弁体１０はステー１１ｃの頂端に支持され、支持部材１１が高熱で溶融ないしは燃焼したとき、その残渣が弁座７表面に付着することがないようステー１１ｃは筒部１１ａの中心部分に立設されている。
【００１８】
弁体１０の形状は、図示のように球状とするほか、図３に示すようにそろばん球状としても良い。
次に、このガスメータ用継手の作用について説明する。
【００１９】
まず、ガスメータ１のガス供給用の金属管２の接続口に、弁座７を有する接続ピース８をカップリング９により取り付け、接続ピース８内部に、弁体１０を取り付けた支持部材１１を設置し、次いで弁箱６を接続し、これに金属管２を接続してガス供給配管を接続する。
【００２０】
ガスメータ１からのガス導出用の金属管３を接続してガスメータの設置を完了する。
そして、このような使用状態において、ガスメータ周囲に火災が発生し、ガスメータ１が高熱にさらされ溶融して自重により落下しそうになったとき、接続ピース８内の支持部材１１がその前に溶融し、弁体１０が弁座７へ落下して、ガス供給路を遮断する。
【００２１】
従って、その後ガスメータ１が自重によりガス管２から外れて落下しても金属管２端部には弁体１０を収納した接続ピース８が残り、かつ弁座７に落下した弁体１０により開口が遮断されるので、ガスの漏洩は確実に防止されるのである。
【００２２】
【発明の効果】
以上のように本発明によると、ガスメータが耐熱性の低いアルミ合金製で、火災などの熱で溶融落下しても、ガス供給管の開口端は弁体で自動的に遮断され、ガスに引火するのが予防される。
【図面の簡単な説明】
【図１】本発明の実施の形態１のガスメータのガス供給管との取付け部の断面図である。
【図２】実施の形態１の弁体部分の拡大斜視図である。
【図３】本発明の実施の形態１の他の構成例の断面図である。
【図４】従来例のガスメータの説明図である。
【符号の説明】
１　　ガスメータ
２　　金属管
３　　金属管
４　　接続ねじ部
６　　弁箱
７　　弁座
８　　接続ピース
９　　カップリング
１０　　金属製弁体
１１　　支持部材
【図１】
2004138456.tif 000003
【図２】
2004138456.tif 000004
【図３】
2004138456.tif 000005
【図４】
2004138456.tif 000006